(57)【要約】【課題】画像表示パネルにおいてクロストークが生じにくい好適な駆動電圧を精度良く、かつ、短い作業時間で得ることができる画像表示パネルにおける駆動電圧の調整方法を提供すること。【解決手段】調整パターン表示工程は、画像表示パネル１０に駆動電圧を印加することにより、下方において長さが異なる複数の調整パターン１、２を１組の調整パターン群とした黒白２組の調整パターン群Ａ、Ｂを画像表示パネルに表示させる。また、電圧調整工程は、表示された調整パターン１、２の端部から延出する尾引３、４の長さおよび濃淡を検査し、黒白２組の調整パターン群Ａ、Ｂにおいて隣位する複数の調整パターン３、４の尾引を比較することにより画像表示パネルの駆動電圧を調節する。【選択図】図２
2007322691.tif 000002
【特許請求の範囲】
【請求項１】
画像表示パネルに駆動電圧を印加することにより、同一方向において長さが異なる複数の調整パターンを１組の調整パターン群とした１組または２組以上の調整パターン群を前記画像表示パネルに表示させる調整パターン表示工程と、
前記調整パターン表示工程により表示された前記調整パターンの端部から延出する尾引の長さおよび濃淡を検査し、前記１組または２組以上の調整パターン群において隣位する複数の調整パターンの尾引を比較することにより前記画像表示パネルの駆動電圧を調節する電圧調整工程と
を備えていることを特徴とする画像表示パネルにおける駆動電圧の調整方法。
【請求項２】
前記１組の調整パターン群は、前記調整パターンを長短順に配列している
ことを特徴とする請求項１に記載の画像表示パネルにおける駆動電圧の調整方法。
【請求項３】
前記画像表示パネルに表示される２組以上の調整パターン群は、少なくとも、濃色の調整パターンによりなる第１組の調整パターン群および淡色の調整パターンによりなる第２組の調整パターン群により、形成されている
ことを特徴とする請求項１または請求項２に記載の画像表示パネルにおける駆動電圧の調整方法。
【請求項４】
第１組の調整パターン群は、明るい背景内に表示される暗色の調整パターンにより形成されており、
第２組の調整パターン群は、暗い背景内に表示される明色の調整パターンにより形成されている
ことを特徴とする請求項３に記載の画像表示パネルにおける駆動電圧の調整方法。
【請求項５】
前記第１組の調整パターン群および前記第２組の調整パターン群は、鏡面対称に配置されている
ことを特徴とする請求項３または請求項４に記載の画像表示パネルにおける駆動電圧の調整方法。
【請求項６】
前記鏡面対称は、前記尾引の延出方向に直交する方向に対して対称となる
ことを特徴とする請求項５に記載の画像表示パネルにおける駆動電圧の調整方法。
【請求項７】
前記第１組の調整パターン群における最長の調整パターンおよび第２組の調整パターン群における最長の調整パターンは、それら以外の他の調整パターンよりも近接させて対向配置されている
ことを特徴とする請求項３から請求項６のいずれか１項に記載の画像表示パネルにおける駆動電圧の調整方法。
【請求項８】
前記調整パターンは、棒状に形成されている
ことを特徴とする請求項１から請求項７のいずれか１項に記載の画像表示パネルにおける駆動電圧の調整方法。
【発明の詳細な説明】
【技術分野】
【０００１】
本発明は、画像表示パネルにおける駆動電圧の調整方法に係り、特に、液晶表示パネルに発生しやすいクロストークを防止して所望するコントラスト制御を行なうために液晶表示パネルの駆動電圧を調整する際に好適に利用することができる画像表示パネルにおける駆動電圧の調整方法に関する。
【背景技術】
【０００２】
一般的に、画像表示パネルに駆動電圧を印加して文字や画像を表示させる際、画像表示パネルにおいて駆動していない画素に駆動信号が漏れ込む現象、すなわちクロストークが生じると、コントラストが強い文字もしくは画像の一部分から尾引といわれる影が延出するシャドーイング（もしくはゴースト）が発生することが知られている。そのため、画像表示パネルを出荷する際には、クロストークを防止する最適な駆動電圧に調整することが肝要となる。特に、液晶表示パネルにおいては、その構造上クロストークが生じやすいので、その駆動電圧を好適に調整することが極めて重要となってくる（特許文献１を参照）。
【０００３】
前述したクロストークが生じにくい好適な駆動電圧を簡易かつ安価に得るため、従来の画像表示パネルにおける駆動電圧の調整方法は、その一例として、以下の調整パターン表示工程および電圧調整工程を経ることにより行なわれていた。具体的に説明すると、図８に示すように、調整パターン表示工程においては、画像表示パネル１０の表示面内に同じ大きさの複数のＨパターン１０１Ｈ、１０２Ｈを２列に平行に並べて表示させる。画像表示パネル１０が自己発光型パネルでない液晶表示パネルの場合においては、図９に示すように、光源１１を用いてその背面から光Ｌを照射する。そして、図９に示すように、電圧調整工程においては、検査員が色彩輝度計１２を用いて画像表示パネル１０に表示された複数のＨパターン１０１Ｈ、１０２Ｈの各端部から伸びる尾引（もしくは糸引）１０３、１０４と称される影の長さや色合いをその他のＨパターン１０１Ｈ、１０２Ｈの尾引１０３、１０４または規格化された尾引見本（図示せず）と比較検査し、その検査結果から駆動電圧を調整する。従来の画像表示パネルにおける駆動電圧の調整方法においては、これら調整パターン表示工程および電圧調整工程を備えているので、従来の画像表示パネルにおける駆動電圧の調整方法により好適と考えられる駆動電圧を得ていた。
【０００４】
【特許文献１】特開平９−１８４７８６号公報
【発明の開示】
【発明が解決しようとする課題】
【０００５】
しかしながら、従来の画像表示パネルにおける駆動電圧の調整方法において用いられる２列のＨパターン１０１Ｈ、１０２Ｈについては、画像表示パネル１０の駆動電圧を変化させてもＨパターン１０１Ｈ、１０２Ｈの尾引１０３、１０４の変化が少ないので、Ｈパターン１０１Ｈ、１０２Ｈの尾引１０３、１０４から好適な駆動電圧を特定することが非常に困難であった。そのため、クロストークが生じにくい好適な駆動電圧に対して±０．３〜０．５Ｖの誤差を生じていた。また、好適な駆動電圧を特定することが非常に困難であるため、１回の調整につき２６０秒程度の長い調整時間を費やさなければならなかった。
【０００６】
そこで、本発明はこれらの点に鑑みてなされたものであり、画像表示パネルにおいてクロストークが生じにくい好適な駆動電圧を精度良く、かつ、短い作業時間で得ることができる画像表示パネルにおける駆動電圧の調整方法を提供することを本発明の目的としている。
【課題を解決するための手段】
【０００７】
前述した目的を達成するため、本発明の画像表示パネルにおける駆動電圧の調整方法は、その第１の態様として、画像表示パネルに駆動電圧を印加することにより、同一方向において長さが異なる複数の調整パターンを１組の調整パターン群とした１組または２組以上の調整パターン群を画像表示パネルに表示させる調整パターン表示工程と、調整パターン表示工程により表示された調整パターンの端部から延出する尾引の長さおよび濃淡を検査し、１組または２組以上の調整パターン群において隣位する複数の調整パターンの尾引を比較することにより画像表示パネルの駆動電圧を調節する電圧調整工程とを備えている。
【０００８】
本発明の第２の態様は、第１の態様の画像表示パネルにおける駆動電圧の調整方法において、１組の調整パターン群は、調整パターンを長短順に配列していることを特徴としている。
【０００９】
本発明の第３の態様は、第１または第２の態様の画像表示パネルにおける駆動電圧の調整方法において、画像表示パネルに表示される２組以上の調整パターン群は、少なくとも、濃色の調整パターンによりなる第１組の調整パターン群および淡色の調整パターンによりなる第２組の調整パターン群により、形成されていることを特徴としている。
【００１０】
本発明の第４の態様は、第３の態様の画像表示パネルにおける駆動電圧の調整方法において、第１組の調整パターン群は明るい背景内に表示される暗色の調整パターンにより形成されており、第２組の調整パターン群は暗い背景内に表示される明色の調整パターンにより形成されていることを特徴としている。
【００１１】
本発明の第４の態様の画像表示パネルにおける駆動電圧の調整方法において、明色は白色であり、暗色は黒色であることが好ましい。
【００１２】
本発明の第５の態様は、第３または第４の態様の画像表示パネルにおける駆動電圧の調整方法において、第１組の調整パターン群および第２組の調整パターン群は、鏡面対称に配置されていることを特徴としている。
【００１３】
本発明の第６の態様は、第５の態様の画像表示パネルにおける駆動電圧の調整方法において、鏡面対称は、尾引の延出方向に直交する方向に対して対称となることを特徴としている。
【００１４】
本発明の第７の態様は、第３から第６のいずれか１の態様の画像表示パネルにおける駆動電圧の調整方法において、第１組の調整パターン群における最長の調整パターンおよび第２組の調整パターン群における最長の調整パターンは、それら以外の他の調整パターンよりも近接させて対向配置されていることを特徴としている。
【００１５】
本発明の第８の態様は、第１から第７のいずれか１の態様の画像表示パネルにおける駆動電圧の調整方法において、調整パターンは、棒状に形成されていることを特徴としている。
【発明の効果】
【００１６】
本発明の第１の態様によれば、１組または２組以上の調整パターン群における複数の調整パターンの長さが同一方向において相互に異なるので、駆動電圧を変化させることにより、その尾引の長さおよび濃淡の変化が検査しやすくなる。これにより、クロストークが生じにくい好適な駆動電圧から±０．１Ｖの範囲内の駆動電圧が短い調整時間で得られるという効果を奏する。
【００１７】
本発明の第２の態様によれば、調整パターンの尾引の長さも長短順に配列されるので、その尾引の長さおよび濃淡の変化を段階的に検査しやすくなるという効果を奏する。
【００１８】
本発明の第３の態様によれば、濃淡の異なる２組の調整パターン群から生じる濃淡の異なる２組の尾引を比較することができるので、好適な駆動電圧に対して高圧側および低圧側のどちらに調整しても尾引を発生させることができる。これにより、電圧調整工程において調整している駆動電圧が高圧側または低圧側のどちらかに偏って調整されてしまうことを防止するという効果を奏する。
【００１９】
本発明の第４の態様によれば、色相上の反対色を組み合わせた２組の調整パターン群から生じる異なる色の２組の尾引を比較することができるので、尾引の濃淡の変化を容易にとらえることができ、色相上の観点から２組の尾引の比較が容易になるという効果を奏する。
【００２０】
また、本発明の第４の態様において、白黒２組の調整パターン群から生じる黒白２組の尾引を比較すると、他色の組み合わせよりも尾引の濃淡の変化を容易にとらえることができ、色相上の観点から２組の尾引の比較が容易になるという効果を奏する。
【００２１】
本発明の第５の態様によれば、濃淡もしくは白黒の２組の調整パターン群の尾引が鏡面対称に配列されるので、その尾引を比較しやすくなるという効果を奏する。
【００２２】
本発明の第６の態様によれば、濃淡もしくは白黒の２組の調整パターン群の尾引が鏡面対称に配列されており、かつ、その尾引が同一方向に延出して一列に並んでいるので、その尾引を比較しやすくなるという効果を奏する。
【００２３】
本発明の第７の態様によれば、駆動電圧の変化に対して敏感に生じやすい各組の最長の調整パターンの尾引が相互に近接されているので、好適な駆動電圧に対して誤差の小さい駆動電圧が得られやすいという効果を奏する。
【００２４】
本発明の第８の態様によれば、駆動電圧を変化させることにより尾引の長さおよび濃淡の変化が生じやすいという効果を奏する。
【発明を実施するための最良の形態】
【００２５】
以下、図１および図２を用いて、本発明の画像表示パネルにおける駆動電圧の調整方法をその一実施形態により説明する。
【００２６】
本実施形態の画像表示パネルにおける駆動電圧の調整方法は、調整パターン表示工程および電圧調整工程を経ることにより行なわれる。以下、各工程を具体的に説明する。
【００２７】
図１は、本実施形態における２組の調整パターン群Ａ、Ｂを示している。図１に示すように、調整パターン表示工程においては、液晶表示パネル１０に駆動電圧を印加することにより、濃淡の異なる２組の調整パターン群Ａ、Ｂを液晶表示パネル１０に表示させる。２組の調整パターン群Ａ、Ｂは、同一方向において長さが異なる複数の調整パターン１、２により形成されている。これら複数の調整パターン１、２は、同一方向において長さが異なる文字や数字、その他の記号を用いることができるが、本実施形態においては、調整パターン１、２に生じる尾引３、４がその調整パターン１、２の長手方向に生じやすい特性を利用するため、図１の下方に延出する棒状の調整パターン１、２が用いられている。また、これら複数の調整パターン１、２は、各組の調整パターン群Ａ、Ｂにおいて長短順に配列されている。
【００２８】
２組の調整パターン群Ａ、Ｂは、第１組の調整パターン群Ａおよび第２組の調整パターン群Ｂにより形成されている。第１組の調整パターン群Ａは、濃色により形成されており、第２組の調整パターン群Ｂは淡色により形成されている。さらに、本実施形態においては、色相上の観点から、第１組の調整パターン群Ａにおいては、その背景が明るい色となっており、その背景内にある複数の調整パターン１が暗色となっている。それに対して、第２組の調整パターン群Ｂにおいては、その背景が暗い色となっており、その背景内にある複数の調整パターン２が明るい色となっている。ここで、明るい色と暗色との関係とは、例えば、白と黒、緑と赤、黄色と青との関係などがこれに該当する。本実施形態においては、尾引の濃淡の変化を容易にとらえることができるため、明るい色を白色とし、その暗色を黒色とする選択を行なっている。そのため、第１組の調整パターン群Ａにおいては、その背景が白色となっており、その背景内にある複数の調整パターン１がその黒色となっている。また、第２組の調整パターン群Ｂにおいては、その背景が黒色となっており、その背景内にある複数の調整パターン３が白色となっている。換言すると、第１組の調整パターン群Ａはポジ表示となり、第２組の調整パターン群Ｂはネガ表示となっている。ポジ表示とネガ表示とが近接しているために尾引の比較および電圧調整が非常に簡単である。
【００２９】
また、本実施形態においては、２組の調整パターン群Ａ、Ｂ、すなわち第１組の調整パターン群Ａおよび第２組の調整パターン群Ｂは、鏡面対称に配置されている。さらに、本実施形態においては、さらなる視認性向上および作業効率の観点から、鏡面対称は、尾引３、４の延出方向、すなわち棒状の調整パターン１、２の長手方向に直交する方向に対して対称となっている。また、第１組の調整パターン群Ａおよび第２組の調整パターン群Ｂにおける最長の調整パターン１Ｌ、２Ｌは、それら以外の他の調整パターン１、２よりも近接するように対向させており、それら２組の調整パターン群Ａ、Ｂを併せて得た領域の中央付近に平行に配列されている。
【００３０】
なお、本実施形態においては、画像表示パネルが自己発光型パネルでない液晶表示パネル１０であるため、調整パターン表示工程において液晶表示パネル１０に調整パターン１、２を表示させるための光（図示せず）を予めその背面から照射している（図９参照）。もちろん、有機ＥＬディスプレイやプラズマディスプレイなど、自己発光型画像表示装置の画像表示パネル（自己発光型パネル）には本実施形態のように光を照射させる必要はない。
【００３１】
電圧調整工程は、検査工程および調整工程からなる。検査工程においては、調整パターン表示工程により表示された調整パターン１、２の端部から延出する尾引３、４の長さおよび濃淡を検査する。また、調整工程においては、第１組の調整パターン群Ａまたは第２組の調整パターン群Ｂのうち隣位する複数の調整パターン１、２の尾引３、４を比較したり、第１組の調整パターン群Ａおよび第２組の調整パターン群Ｂによる鏡面対称において対応するそれぞれの調整パターン１、２の尾引３、４を比較したりすることにより、液晶表示パネル１０の駆動電圧を調節する。
【００３２】
次に、図２を用いて、本実施形態の画像表示パネルにおける駆動電圧の調整方法の作用を説明する。
【００３３】
図２（ａ）〜（ｃ）は、ある駆動電圧における調整パターンの尾引の延出状態を示している。図２（ｂ）は好適な駆動電圧を印加した状態を示しており、図２（ａ）が好適な駆動電圧よりも低圧側の駆動電圧を、図２（ｃ）が好適な駆動電圧よりも高圧側の駆動電圧を印加した状態を示している。
【００３４】
本実施形態の画像表示パネルにおける駆動電圧の調整方法は、図２に示すように、棒状の調整パターン１、２を用いて行なわれる。ここで、２組の調整パターン群Ａ、Ｂにおける複数の調整パターン１、２の長さは、同一方向（図２においては下方）において相互に異なっている。これにより、図２（ａ）〜（ｃ）に示すように、ある一定の駆動電圧を印加しても各尾引３、４の長さおよび濃淡が調整パターン１、２の長さに応じてそれぞれ異なってくる。例えば、外側に表示された短い調整パターン１、２においては、その尾引３、４の長さが短く、淡く表示される。それに対し、中央側に表示される長い調整パターン１、２においては、短い調整パターン１、２と比較して、その尾引３、４の長さが長く、濃く表示される。そのため、駆動電圧を低圧側および高圧側に相互に変化させることにより、その尾引３、４の長さおよび濃淡の変化が精度良く検査しやすくなる。
【００３５】
また、それらの調整パターン１、２は長短順に配列されているので、その尾引３、４の長さも長短順に配列されることになる。そのため、その尾引３、４の長さおよび濃淡が２組の調整パターン群Ａ、Ｂを併せて得た領域の外側から中央付近へ段階的に変化し、尾引３、４の長さおよび濃淡に係る検査がさらにしやすくなる。
【００３６】
これら２組の調整パターン群Ａ、Ｂは、ポジ表示モードとネガ表示モードとの関係を有している。よって、濃淡の異なる２組の調整パターン群Ａ、Ｂから生じる濃淡の異なる２組の尾引３、４を比較することができる。黒白（濃淡）２組の調整パターン群Ａ、Ｂから生じる黒白（濃淡）２組の尾引３、４を容易に比較することができるので、好適な駆動電圧に対して高圧側および低圧側のどちらかの駆動電圧に対してのみ生じる尾引３、４に対しても検査することができる。例えば、図２（ａ）に示すように、第１組の調整パターン群Ａにおける黒色の調整パターン１は、低圧側の駆動電圧に対して尾引３が生じやすくなっている。それに対し、図２（ｃ）に示すように、第２組の調整パターン群Ｂにおける白色の調整パターン２は、高圧側の駆動電圧に対して尾引４が生じやすくなっている。つまり、これら黒白２組の調整パターン群Ａ、Ｂを用いることにより、好適な駆動電圧に対して高圧側および低圧側のどちらに調整しても尾引３、４を発生させることができ、電圧調整工程において調整している駆動電圧が高圧側または低圧側のどちらかに偏って調整されてしまうことを防止することができる。
【００３７】
また、これら２組の調整パターン群Ａ、Ｂは、鏡面対称に配置されている。特に、本実施形態においては、複数の調整パターン１、２が下方に対して長さが異なるように、その複数の調整パターン１、２の上下方向を長手方向として平行に配列されており、その尾引３、４が顕著に生じやすい下方に対して直交する横方向に鏡面対称となるように、２組の調整パターン群Ａ、Ｂにおける複数の調整パターン１、２全体として横方向に一列に配列されている。そのため、黒白（濃淡）の２組の調整パターン群Ａ、Ｂにおける尾引３、４が鏡面対称に配列されており、かつ、その尾引３、４が下方に延出してその尾引３、４全体として横方向に一列に並んでいるので、それらの尾引３、４がより比較されやすくなる。
【００３８】
さらに、２組の調整パターン群Ａ、Ｂにおいては、それらのうちの最長の調整パターン１Ｌ、２Ｌが隣位かつ対向しており、複数の調整パターン１、２全体としてその長さが下方凸になるように配列されている。そのため、駆動電圧の変化に対して敏感に生じやすい各組の最長の調整パターン１Ｌ、２Ｌの尾引３Ｌ、４Ｌが相互に近接されることになる。このため、駆動電圧を変化させることにより、２組の調整パターン群Ａ、Ｂ全体としてその外側から中央付近に向かって、その尾引３、４の長さおよび濃淡を調整することができ、好適な駆動電圧に対して誤差の小さい駆動電圧が得られやすくなる。
【００３９】
すなわち、本実施形態の画像表示パネルにおける駆動電圧の調整方法によれば、複数の調整パターン１、２がいわゆるバーグラフパターン状に配列されているので、その尾引３、４の長さおよび濃淡の変化が検査しやすくなり、クロストークが生じにくい好適な駆動電圧から±０．１Ｖの範囲内（従来の３〜５倍程度）の精度の良い駆動電圧が３０秒程度（従来の１１．５％程度）の短い調整時間で得られるという効果を奏する。
【００４０】
なお、本発明は、前述した実施形態などに限定されるものではなく、必要に応じて種々の変更が可能である。
【００４１】
例えば、本実施形態の調整パターン１、２においては、図１に示すように、黒白２組の調整パターン群Ａ、Ｂが所定の鏡面対称になるように長短順に配列されているが、他の実施形態においては、図３から図６に例示するように、調整パターンが本実施形態と異なって配列されていても良い。
【００４２】
図３においては、１組の調整パターン群Ａ１が液晶表示パネル１０に表示されている。この１組の調整パターン群Ａ１における複数の調整パターン１Ａは、その長さを相互に異ならせつつ、長短順に配列されている。図４においては、鏡面対称でない濃淡２組の調整パターン群Ａ２、Ｂ２が液晶表示パネル１０に表示されている。これら２組の調整パターン群Ａ２、Ｂ２における複数の調整パターン１Ｂ、２Ｂおいては、その長さは異なっているが、長短順には配列されていない。図５においては、鏡面対称の濃淡２組の調整パターン群Ａ３、Ｂ３が液晶表示パネル１０に表示されている。これら２組の調整パターン群Ａ３、Ｂ３における複数の調整パターン１Ｃ、２Ｃの長さは異なっているが、長短順には配列されていない。また、各組の最長の調整パターン１ＣＬ、２ＣＬは他の調整パターン１Ｃ、２Ｃよりも近接して配列されていない。そして、図６においては、鏡面対称の濃淡２組の調整パターン群Ａ４、Ｂ４が液晶表示パネル１０に表示されている。これら２組の調整パターン群Ａ４、Ｂ４における複数の調整パターン１Ｄ、２Ｄは、その長さを相互に異ならせつつ、長短順に配列されている。また、それら複数の調整パターン１Ｄ、２Ｄの延出方向に対して直交方向に鏡面対称となっておらず、それら複数の調整パターン１Ｄ、２Ｄの延出方向と同方向に鏡面対称となっている。
【００４３】
本実施形態および前述した複数の他の実施形態は、図１および図３から図６に示すように、同一方向において長さが異なる複数の調整パターン１、１Ａ〜１Ｄ、２、２Ａ〜２Ｄを１組の調整パターン群として、１組または２組以上の調整パターン群Ａ、Ａ１〜Ａ４、Ｂ、Ｂ１〜Ｂ４を液晶表示パネル１０に表示させていることを共通点としている。しかし、図３および図４に示すように、複数の組の調整パターン群Ａ１、Ｂ１が表示され、かつ、その複数の組の調整パターン群Ａ１、Ｂ１が濃淡の関係、ポジとネガとの関係を有しているか否か、図４および図５に示すように、各組の調整パターン群Ａ１、Ｂ１、Ａ２、Ｂ２が鏡面対称となっているか否か、図５および図６に示すように、複数の調整パターン１Ｃ、２Ｃ、１Ｄ、２Ｄの延出方向に対してどのように鏡面対称となっているか、また、最長の調整パターン１ＣＬ、２ＣＬ、１ＤＬ、２ＤＬが近接して対向しているか否かという点において異なる。これらの相違点においてすべての特徴を有しているのが本実施形態における２組の調整パターン群Ａ、Ｂとなる。
【００４４】
また、他の実施形態においては、図７に示すように、同一方向における長さが異なるように形成されたＨ状調整パターン１Ｈ、２Ｈを液晶表示パネル１０に表示させても良い。
【図面の簡単な説明】
【００４５】
【図１】本実施形態において液晶表示パネルに表示される２組の調整パターン群を示す平面図
【図２】本実施形態において所定の駆動電圧における調整パターンの尾引の延出状態を示す平面図；図２（ｂ）は好適な駆動電圧を印加した状態を示す平面図、図２（ａ）は好適な駆動電圧よりも低圧側の駆動電圧を印加した状態を示す平面図、図２（ｃ）は好適な駆動電圧よりも高圧側の駆動電圧を印加した状態を示す平面図
【図３】他の実施形態において表示される１組の調整パターン群を示す平面図
【図４】他の実施形態において表示される非鏡面対称の２組の調整パターン群を示す平面図
【図５】他の実施形態において表示される鏡面対称の２組の調整パターン群を示す平面図
【図６】他の実施形態において表示される鏡面対称の２組の長短順の調整パターン群を示す平面図
【図７】他の実施形態において表示される長さの異なるＨ状調整パターンを示す平面図
【図８】従来の調整パターンを示す平面図
【図９】従来の液晶表示パネルにおける駆動電圧の調整方法を示す正面図
【符号の説明】
【００４６】
１  第１組の調整パターン群における複数の調整パターン
２  第２組の調整パターン群における複数の調整パターン
Ａ  第１組の調整パターン群
Ｂ  第２組の調整パターン群
【図１】
2007322691.tif 000003
【図３】
2007322691.tif 000004
【図４】
2007322691.tif 000005
【図５】
2007322691.tif 000006
【図６】
2007322691.tif 000007
【図７】
2007322691.tif 000008
【図９】
2007322691.tif 000009
【図２】
2007322691.tif 000010
【図８】
2007322691.tif 000011